(57)【特許請求の範囲】
【請求項１】
パネル板と、そのパネル板を支持する支柱と、を有する衝立型間仕切りであって、
上記パネル板の板厚方向に開口した１又は２以上のネジ止め用の穴と、
上記支柱に形成され、支柱の軸方向に延びる１又は２以上の案内溝と、
上記案内溝に設けられ、当該案内溝に案内されて上記軸方向に移動可能な１又は２以上のナット部材と、
上記ネジ止め用の穴を介して上記ナット部材に螺合するネジと、
上記パネル板の面に沿って横方向に延在し、当該パネル板に取り付けられる横桟と、
を備え、
上記案内溝は、当該案内溝で案内されるナット部材を、支柱の軸方向に沿って支柱の一端部から支柱の他端部まで案内可能な形状であって、ナット部材が案内方向に直交する方向に変位しても当該ナット部材が案内溝から抜けない構造とする左右一対の内向きフランジ部を有し、
上記ナット部材は、上記内向きフランジ部に接近・離隔可能な状態で上記案内溝に配置されると共に、上記内向きフランジ部に当接可能な部分がワッシャを構成する金属板からなり、
上記金属板には、上記左右一対の内向きフランジ部で形成される開口に嵌り込み可能な段差部が形成され、
上記ネジは、上記案内溝に向けて延在し、上記ナット部材と上記案内溝内で螺合する、
ことを特徴とする衝立型間仕切り。
【請求項２】
上記横桟は、横桟の軸方向に延びる１又は２以上の第２案内溝と、その第２案内溝に案内されて上記軸方向に移動可能な１又は２以上の第２ナット部材と、を備え、
上記横桟は、パネル板に形成したネジ止め用の穴を介して上記第２ナット部材にネジを螺合することで、パネル板に取り付けられ、
上記第２案内溝は、当該第２案内溝で案内される第２ナット部材を、横桟の軸方向に沿って横桟の一端部から横桟の他端部まで案内可能な形状であって、第２ナット部材が案内方向に直交する方向に変位しても当該第２ナット部材が第２案内溝から抜けない構造とする左右一対の内向きフランジ部を有し、
上記第２ナット部材は、上記内向きフランジ部に接近・離隔可能な状態で上記第２案内溝に配置されると共に、上記内向きフランジ部に当接可能な部分がワッシャを構成する金属板からなり、
上記金属板には、上記左右一対の内向きフランジ部で形成される開口に嵌り込み可能な段差部が形成され、
上記第２ナット部材に螺合するネジは、上記第２案内溝に向けて延在し、上記第２ナット部材と上記第２案内溝内で螺合する、
ことを特徴とする請求項１に記載した衝立型間仕切り。 
【請求項３】
上記横桟は、横桟の軸方向に延びる１又は２以上の第２案内溝と、その第２案内溝に案内されて上記軸方向に移動可能な１又は２以上の第２ナット部材と、第２案内溝の軸方向端部に着脱可能に取り付けられるキャップとを備え、上記キャップを外すことで、第２案内溝からの上記第２ナット部材の取り外し及び第２案内溝への第２ナット部材の取付けが可能となっており、
上記横桟は、第２ナット部材を取り付けていない第２案内溝に、上記パネル板の上端部又は他端部の端面部を差し込むことで、上記パネル板に取り付けられる、
ことを特徴とする請求項１又は請求項２に記載した衝立型間仕切り。
【請求項４】
上記第２案内溝は、上記横桟の周方向に沿って複数箇所に形成され、
上記パネル板を取り付ける第２案内溝に一緒に、又は上記パネル板を取り付けた第２案内溝とは別の第２案内溝に対し、別のパネル板がネジ止めによって取り付けられる、
ことを特徴とする請求項２又は請求項３に記載した衝立型間仕切り。
【請求項５】
上記パネル板は、光透過性の樹脂材料から構成される、ことを特徴とする請求項１〜請求項４のいずれか１項に記載した衝立型間仕切り。
【請求項６】
上記パネル板は、左右両端部側にそれぞれ２以上の上記ネジ止め用の穴が開口していると共に上端部又は下端部に沿って２以上のネジ止め用の穴が開口していることを特徴とする請求項１〜請求項５のいずれか１項に記載した衝立型間仕切り。
【請求項７】
上記パネル板の表面に、透明樹脂剤に抗ウイルス剤を混入した塗布液が塗布されている、請求項１〜請求項６のいずれか１項に記載した衝立型間仕切り。
【請求項８】
上記パネル板の表面に、抗ウイルス剤を有する透明シートが貼り付けられた、請求項１〜請求項７のいずれか１項に記載した衝立型間仕切り。
【請求項９】
複数の上記パネル板と複数の上記支柱を備え、
上記複数の支柱のうちの少なくとも１つの支柱に、複数のパネル板が上記ネジと上記ナット部材によってネジ止めされ、
複数の上記パネル板のうち、幅が１０００ｍｍのパネル板に上記横桟が取り付けられている、ことを特徴とする請求項１〜請求項８のいずれか１項に記載した衝立型間仕切り。
【請求項１０】
２以上のパネル板と、そのパネル板を支持するための２以上の支柱と、複数のネジと、１又は２以上の横桟と、を有し、
上記パネル板には、板厚方向に開口した１又は２以上のネジ止め用の穴が設けられ、
上記支柱は、支柱の軸方向に延びる１又は２以上の案内溝と、上記案内溝に設けられ、当該案内溝に案内されて上記軸方向に移動可能な１又は２以上のナット部材と、を備え、
上記ネジの軸部は、上記ネジ止め用の穴を介して上記ナット部材に螺合可能であり、
上記横桟は、横桟の軸方向に延びる１又は２以上の第２案内溝と、上記第２案内溝に設けられ、当該第２案内溝に案内されて上記軸方向に移動可能な１又は２以上の第２ナット部材と、を備え、
上記案内溝は、当該案内溝で案内されるナット部材を、支柱の軸方向に沿って支柱の一端部から支柱の他端部まで案内可能な形状であって、ナット部材が案内方向に直交する方向に変位しても当該ナット部材が案内溝から抜けない構造とする左右一対の内向きフランジ部を有し、
上記ナット部材は、上記内向きフランジ部に接近・離隔可能な状態で上記案内溝に配置されると共に、上記内向きフランジ部に当接可能な部分がワッシャを構成する金属板からなり、
上記金属板には、上記左右一対の内向きフランジ部で形成される開口に嵌り込み可能な段差部が形成され、
上記ナット部材は、上記案内溝内に配置され、上記ネジと螺合するネジ穴が、上記案内溝内において、上記案内方向に直交する方向に軸が向いている、
衝立型間仕切り用の構成物。
【発明の詳細な説明】
【技術分野】
【０００１】
本発明は、設置床面に設けられる衝立型間仕切りに関する。この衝立型間仕切りは、例えば、オフィスや店舗で使用され、飛沫防止パネルなどの置き型パーティションを構成する。
【背景技術】
【０００２】
衝立型間仕切りとしては、例えば特許文献１に記載の衝立パネルがある。
この衝立パネルは、両側の支柱と上下の横桟とで形成された枠体内に透過性を有するパネル板を装着した構造となっている。
【先行技術文献】
【特許文献】
【０００３】
【特許文献１】特開２００１−１１９８８号公報
【発明の概要】
【発明が解決しようとする課題】
【０００４】
ここで、オフィスや店舗に使用される飛沫防止パネルは、通常、設置床面とパネル板との間に上下方向の隙間を設けている。この隙間は、ＰＣの配線や充電コード用、書類の受渡し等のスペースとして利用される。
また、衝立型間仕切りを、飛沫防止用途として使用する場合、座高や椅子の種類などによって、パネル板の高さが変更できることが好ましい。
【０００５】
しかしながら、従来の衝立型間仕切りでは、パネル板の高さの可変が困難で、一度、備え付けると、全体高さや隙間の高さは一定となる。すなわち、従来にあっては、想定外の上記隙間が必要になった場合や、使用状況に応じたパネル板の高さ調整が簡易にできない。
また、飛沫防止パネルには、支柱（支持具）を交換することでパネル板の高さ調整が可能なものもあるが、高さは、支柱の高さに依存することから、高さ調整の自由度が低く、且つ、パネル板を完全に支柱から分離して高さ調整する必要があり、組立て後の運びが容易ではない。
【０００６】
また、特許文献１に記載のような衝立パネルは、幅が大きなパネルを想定しておらず、衝立パネルを大型化するほど矩形の枠構造が大型化するおそれがある。
また、衝立パネルの構成を簡易な構造とするために、パネル板の両側を支柱で支持するだけの簡易構造も考えられる。この場合、パネルの幅が大きくなるほど、パネル板が、幅方向中央部を中心してパネル厚さ方向へ撓み易くなる。この場合、パネル板の板厚を厚くして剛性を稼ぐことも考えられるが、パネル板の重さや透明性の点で不利でとなる。
【０００７】
本発明は、上記のような点に着目してなされたもので、簡易に組み立てられると共に、パネル板の高さ調整についての自由度も操作も簡易で、しかもパネル板が大型化しても簡易な方法で形状が保持される衝立型間仕切りを提供することを目的とする。
【課題を解決するための手段】
【０００８】
課題解決のために、本発明の実施形態の衝立型間仕切りは、パネル板と、そのパネル板を支持する支柱と、を有する衝立型間仕切りであって、上記パネル板の板厚方向に開口した１又は２以上のネジ止め用の穴と、上記支柱に形成され、支柱の軸方向に延びる１又は２以上の案内溝と、上記案内溝に設けられ、当該案内溝に案内されて上記軸方向に移動可能な１又は２以上のナット部材と、上記ネジ止め用の穴を介して上記ナット部材に螺合するネジと、上記パネル板の面に沿って横方向に延在し、当該パネル板に取り付けられる横桟と、を備えることを要旨とする。
【０００９】
この衝立型間仕切りは、例えば、２以上のパネル板と、そのパネル板を支持するための２以上の支柱と、複数のネジと、又は２以上の横桟と、を有し、上記パネル板には、板厚方向に開口した１又は２以上のネジ止め用の穴が設けられ、上記支柱は、支柱の軸方向に延びる１又は２以上の案内溝と、上記案内溝に設けられ、当該案内溝に案内されて上記軸方向に移動可能な１又は２以上のナット部材と、を備え、上記ネジの軸部は、上記ネジ止め用の穴を介して上記ナット部材に螺合可能であり、上記横桟は、横桟の軸方向に延びる１又は２以上の第２案内溝と、上記第２案内溝に設けられ、当該第２案内溝に案内されて上記軸方向に移動可能な１又は２以上の第２ナット部材と、を備える、衝立型間仕切り用の構成物を組み立てることで構成される。
【発明の効果】
【００１０】
本発明の態様によれば、パネル板は、支柱に対し、ネジ止めによって簡易に支持される。
また、ナット部材が支柱に沿ってスライド可能となっているので、例えば、ネジによる締結を少し緩めることで、支柱に対するパネル板の高さを自由に調整可能となる。
また、本発明の態様によれば、簡易にパネル板の高さ方向が調整可能となっていても、パネル板が板厚方向への撓みを抑制される、すなわち、パネル板の形状が保持される。
【図面の簡単な説明】
【００１１】
【図１】本発明に基づく実施形態に係るパネル板を示す正面図である。
【図２】本発明に基づく実施形態に係る支柱を示す斜視図である。
【図３】案内溝の断面例を示す図である。
【図４】案内溝とナット部材の関係を示す断面図である。
【図５】横桟を説明する斜視図である。
【図６】本発明に基づく実施形態に係るネジを示す斜視図である。
【図７】組み立てた衝立型間仕切りの例を示す斜視図である。
【図８】側面板を支柱に組み付ける状態を説明する模式平面図である。
【図９】側面板を支柱に組み付ける状態を説明する模式的斜視図である。
【図１０】正面板を支柱に組み付ける状態を説明する模式平面図である。
【図１１】正面板を支柱に組み付ける状態を説明する模式的斜視図である。
【図１２】パネル板の高さ調整の例を説明する図である。
【図１３】組み立てた衝立型間仕切りのパターン例を示す平面的模式図である。
【図１４】組み立てた衝立型間仕切りのパターン例を示す平面的模式図である。
【図１５】組み立てた衝立型間仕切りのパターン例を示す平面的模式図である。
【図１６】横桟を下部に設けた例を示す斜視図である。
【図１７】正面板を２枚設けた例を示す正面図である。
【図１８】天井板を設けた例を示す図である。
【図１９】重量物を掛けた例を示す図である。
【発明を実施するための形態】
【００１２】
次に、本発明の実施形態について図面を参照して説明する。
本実施形態の衝立型間仕切りは、衝立型間仕切り用の構成物を組み立てることで構成される組立て体である。
【００１３】
「構成物」
衝立型間仕切り用の構成物は、図１〜図６に示すように、２以上のパネル板１と、そのパネル板１に支持するための２以上の支柱５と、横桟２０と、複数のネジ１２と、を有する。
【００１４】
（パネル板１）
本実施形態のパネル板１は、図１に示すように、平面視矩形の板材である。パネル板１の形状は、矩形でなくても良い。図１に示すパネル板は、左右の上端角部を斜めに面取りしている。これによって、パネル板１の角部への人体の接触時の衝撃を緩和する。左右の下端角部についても面取りが成されていても良い。
パネル板１は、光透過性であることが好ましい。パネル板１の材質としては、ガラス、ＰＥＴＧ、塩ビ、アクリル等の透明度の高い材質が例示できる。なお、これらの材質で作製したパネル板１の透明度（透過率）は、５０〜９８％程度となる。
パネル板１として、ＰＥＴＧを使用する場合、塩ビやアクリルに比べて柔軟性があるため、仮に落下等の衝撃が加えられても割れにくい。また、ＰＥＴＧは自己消化性を持つため火災などで他の材質に比べて燃えにくい。
パネル板１の厚みは、例えば２ｍｍ以上９ｍｍ以下とする。
【００１５】
＜ネジ止め用の穴２＞
パネル板１の左右両側にネジ止め用の穴２（以下、単純に「穴」とも記載する）が開口している。
また、正面用のパネル板１ａの上部には、複数の第２の穴２ｂが開口している。複数の第２の穴２ｂは、パネル板１ａの左右方向に向けて並ぶように形成されている。第２の穴２ｂは、横方向に延びるスリット状などの長穴であっても良い。
図１に示す例では、ネジ止め用の穴２がパネル板１の上端部や左右両端部側にそれぞれ設けられ、左右方向の各端部にそれぞれ、２つネジ止め用の穴２が上下に離隔して設けられている。左右両端部側の各端部に設ける穴２ａは、１個でも良いが、２以上設けた方が取付けの安定性が良い。
【００１６】
（支柱５）
支柱５は、例えば断面が円形、三角形や矩形などの多角形形状等の形状となっている。本実施形態では、図２に示すように、断面正方形形状の場合を例に挙げて説明する。このとき、支柱５の周方向における一辺の寸法は、例えば２０〜８０ｍｍとする。
支柱５の高さは、パネル板１の高さよりも高いことが好ましい。
支柱５の材質は、パネル板１を支持可能な剛性を有すれば特に限定はないが、アルミ材や木材が例示できる。
【００１７】
＜案内溝６＞
支柱５には、軸方向に延びる１又は２以上の案内溝６を有する。案内溝６は、支柱５の周方向に沿って複数箇所に形成されていることが好ましい。この場合、案内溝６は、周方向に沿って等間隔に形成されていることが好ましい。また、同一軸線上に沿って２以上の案内溝６を形成しても良い。また、各面に２以上の案内溝６を形成しても良い。
本実施形態では、支柱５の各面（４面）にそれぞれ案内溝６が形成されている場合を例示している。
案内溝６は、案内溝６に配置したナット部材７が、案内溝６に沿って支柱５の軸方向にスライド（案内）可能な形状であって、ナット部材７が、上記案内方向に直交する方向に変位しても、案内溝６の開口部から抜けない構造となっている。
【００１８】
本実施形態の案内溝６の断面形状は、図３に示す断面図のように、溝の底面６ａから支柱５の表面に向かうにつれて左右の幅が広くなる斜面上の側面６ｂを有して、略台形形状となっている。これによって、ネジを雄ネジの穴１０に螺合させる際の安定性が良くなる。
ただし、案内溝６は、溝の開口部では、ナット部材７の表面の左右両側に対向する左右の内向きフランジ部９によって、開口部の幅Ｄが狭くなって、ナット部材７が抜けない、開口位置での溝幅となっている。すなわち、左右の内向きフランジ部９で構成される溝の開口の幅は、ナット部材７に設けた雌ネジのネジ穴１０の穴径及びネジ１２の軸部１２ｂの径よりも大きく、且つナット部材７の幅方向の寸法よりも小さくなっている。
また、ナット部材７の雌ネジの穴１０が、溝の開口を介して外部から見えるようになっている。
【００１９】
＜ナット部材７＞
ナット部材７は、案内溝６内に設けられ、当該案内溝６に案内されて支柱５の軸方向（溝の延在方向）に移動可能となっている。
なお、ナット部材７の本体が案内溝６の外側に配置されていても良い、案内溝６によって軸方向に案内可能に案内溝６に取り付けられていればよい。
ナット部材７は、パネル板１の上下で並ぶ穴２の数若しくはそれ以上、各案内溝６に設けることが好ましい。
【００２０】
本実施形態のナット部材７は、断面図である図４に示すように、案内溝６の断面に係合可能な形状、つまり、略台形形状の断面となっていて、案内溝６の底面６ａ及び側面６ｂと当接可能部分７Ａが樹脂材で構成される。また、内向きフランジ部９の内面に当接可能な部分には、アルミなどの金属板で構成され、該金属板がワッシャを構成する。
これによって、ナット部材７にネジ１２を安定して螺合可能となる。
【００２１】
また、ナット部材７の中央部に雌ネジが形成されたネジ穴１０が形成されている。ネジ穴１０は、ナット部材７の中央を厚さ方向に貫通するように形成され、該ネジ穴１０が案内溝６の開口を介して見えるようなっている、ネジ穴１０の軸は、支柱５の表面に対して直交するように構成することが好ましい。
また、上記金属板には、ネジ穴１０の両側が段差状に上方へ突出していて段差部７Ｂａが形成され、ネジが、案内溝６の開口に嵌り込み可能な形状となっている。
これによって、安定して締結可能となり、より締結後のパネル板１がずれにくくなる。
【００２２】
＜樹脂キャップ８（留め具）＞
支柱５の軸方向両端部には、樹脂キャップ８が着脱可能に嵌め込まれている。この樹脂キャップ８によって、案内溝６の支柱５の軸方向端部からナット部材７が抜け落ちることが防止されると共に、取扱い時の耐傷性を有する。
このキャップ８を一時的に外すことで、各案内溝６に配置するナット部材７の数を調整することが可能となる。例えば、複数条の案内溝６を形成していても、使用しない案内溝６からナット部材７を外しておいたりすることができる。
【００２３】
（横桟２０）
横桟２０の構造は、支柱と同じ構造である。ただし、横桟２０と支柱５の寸法等は異なっていても良いし同じでも良い。横桟２０の長さは、取り付けるパネル板の幅以下とする。
すなわち、横桟２０は、図５に示すように、例えば断面が円形、三角形や矩形などの多角形形状等の形状となっている。本実施形態では、図５に示すように、横桟２０は断面正方形形状となっている。横桟２０の最大の厚みは、例えば２０〜４０ｍｍとする。その範囲に比べ、薄すぎる場合には、パネル板の撓み抑制効果が小さいおそれがあり、厚すぎる場合には横桟２０に圧迫感が出るおそれがあったりパネル転倒時の衝突による衝撃が大きくなったりするおそれがある。
横桟２０の材質は、パネル板１を支持可能な剛性を有すれば特に限定はないが、アルミ材や木材が例示できる。
【００２４】
＜第２案内溝２１＞
横桟２０には、軸方向に延びる１又は２以上の第２案内溝２１を有する。第２案内溝２１は、横桟２０の周方向に沿って複数箇所に形成されていることが好ましい。この場合、第２案内溝２１は、９０度間隔など、周方向に沿って等間隔に形成されていることが好ましい。また、同一軸線上に沿って２以上の第２案内溝２１を形成しても良い。また、各面に２以上の第２案内溝２１を形成しても良い。
【００２５】
本実施形態では、横桟２０の各面（４面）にそれぞれ第２案内溝２１が形成されている場合を例示している。
第２案内溝２１は、第２案内溝２１に配置した第２ナット部材２２が、第２案内溝２１に沿って横桟２０の軸方向にスライド（案内）可能な形状であって、第２ナット部材２２が、上記案内方向に直交する方向に変位しても、第２案内溝２１の開口部から抜けない構造となっている。
本実施形態の第２案内溝２１の断面形状は、案内溝と同じ形状であって（図４参照）、溝の底面から横桟２０の表面に向かうにつれて左右の幅が広くなる斜面上の側面を有して、略台形形状となっている。これによって、ネジを雄ネジの穴に螺合させる際の安定性が良くなる。
【００２６】
ただし、第２案内溝２１は、溝の開口部では、第２ナット部材２２の表面の左右両側に対向する左右の内向きフランジ部によって、開口部の幅が狭くなって、第２ナット部材２２が抜けない、開口位置での溝幅となっている。すなわち、左右の内向きフランジ部９で構成される溝の開口の幅は、第２ナット部材２２に設けた雌ネジのネジ穴の穴径及びネジの軸部の径よりも大きく、且つ第２ナット部材２２の幅方向の寸法よりも小さくなっている。
また、第２ナット部材２２の雌ネジの穴が、溝の開口を介して外部から見えるようになっている。
【００２７】
＜第２ナット部材２２＞
第２ナット部材２２は、第２案内溝２１内に設けられ、当該第２案内溝２１に案内されて横桟２０の軸方向（溝の延在方向）に移動可能となっている。
なお、第２ナット部材２２の本体が第２案内溝２１の外側に配置されていても良い、第２案内溝２１によって軸方向に案内可能に第２案内溝２１に取り付けられていればよい。
第２ナット部材２２は、パネル板１の横方向に並ぶ穴２の数若しくはそれ以上、各第２案内溝２１に設けることが好ましい。
【００２８】
本実施形態の第２ナット部材２２は、ナット部材と同じ形状であって（図４参照）、第２案内溝２１の断面に係合可能な形状、つまり、略台形形状の断面となっていて、第２案内溝２１の底面及び側面と当接可能部分が樹脂材で構成される。また、内向きフランジ部の内面に当接可能な部分には、アルミなどの金属板で構成され、該金属板がワッシャを構成する。
これによって、第２ナット部材２２にネジ１２を安定して螺合可能となる。
【００２９】
また、第２ナット部材２２の中央部に雌ネジが形成されたネジ穴が形成されている。ネジ穴は、第２ナット部材２２の中央を厚さ方向に貫通するように形成され、該ネジ穴が第２案内溝２１の開口を介して見えるようなっている、ネジ穴の軸は、横桟２０の表面に対して直交するように構成することが好ましい。
また、上記金属板には、ネジ穴の両側が段差状に上方へ突出していて段差部が形成され、ネジが、第２案内溝２１の開口に嵌り込み可能な形状となっている。
これによって、安定して締結可能となり、より締結後のパネル板１がずれにくくなる。
【００３０】
＜樹脂キャップ２３（留め具）＞
横桟２０の軸方向両端部には、樹脂キャップ２３が着脱可能に嵌め込まれている。この樹脂キャップ２３によって、第２案内溝２１の横桟２０の軸方向端部から第２ナット部材２２が抜け落ちることが防止されると共に、取扱い時の耐傷性を有する。
また、このキャップ２３を一時的に外すことで、各第２案内溝２１に配置する第２ナット部材２２の数を調整することが可能となる。例えば、複数条の第２案内溝２１を形成していても、使用しない第２案内溝２１から第２ナット部材２２を外しておいたりすることができる。
【００３１】
（ネジ１２）
ネジ１２は、図６に示すように、軸部１２ｂと頭部１２ａとから構成され、雌ネジを有する穴１０に螺合可能な、例えばＭ４〜７程度のトラス型ボルトビスからなる。
このネジ１２は、頭部１２ａがパネル板１の穴の径（長穴の場合には幅）よりも大きく、且つ軸部１２ｂが、パネル板１の穴の径よりも小さく、パネル板１を介してネジ穴１０に螺合可能な長さを有する。
ここで、パネル板１の表裏両面の内の少なくとも一方の面に対し、透明樹脂剤に抗ウイルス剤を混入した塗布液が塗布されている、又は抗ウイルス剤を有する透明シートが貼り付けられた構成でも良い。
【００３２】
抗ウイルス剤は、銀系材料であることが好ましい。抗ウイルス剤としては、無機化合物のゼオライト、アパタイト、ジルコニアなどの物質に銀イオン、銅イオン、亜鉛イオンのいずれかの金属イオンを取り込んで形成した抗菌性ゼオライト、抗菌性アパタイト、抗菌性ジルコニア等の無機系抗菌剤が使用できる、また抗ウイルス剤としてジンクピリジオン、２−（４−チアゾリル）−ベンゾイミダゾール、１０、１０−オキシビスフェノキサノジン、有機チツソイオウハロゲン系、ピリジン−２−チオール−オキシド等が使用できるが、抗ウイルス効果の点で銀系抗ウイルス剤が優れている。また、抗ウイルス剤は有期系の抗ウイルス剤であってもよい。
【００３３】
また、抗ウイルス剤は銀系材料が無機材料に担持されている構成であってもよい。
抗ウイルス剤の添加量は、０．２質量部以上１０質量部以下の範囲内であることが好ましい。抗ウイルス剤の添加量が０．２質量部以上である場合、抗ウイルス剤が効果的に作用し、抗ウイルス性が向上する。抗ウイルス剤の添加量が１０質量部以下である場合、耐傷性が向上する。
【００３４】
抗ウイルス剤の平均粒径は、シート厚の０．５倍以上２倍以下であることが望ましい。すなわち、抗ウイルス剤の平均粒径をφ、表面保護層の厚さをＤとしたときに、０．５≦φ≦２Ｄの関係が成り立つ。抗ウイルス剤の平均粒径が表面保護層１４の０．５倍以上２倍以下である場合、抗ウイルス剤との接触面先拡大、及び抗ウイルス剤自体の表面積拡大により抗ウイルス性が良好になる。
また、抗ウイルス剤の平均粒径は、１μｍ以上１０μｍ以下であることが望ましい。抗ウイルス剤の平均粒径が１μｍ以上である場合、表面保護層１４と抗ウイルス剤との接触面積が向上し、抗ウイルス性が良好になる。抗ウイルス剤の平均粒径が１０μｍ以下である場合、耐傷性が向上する。
【００３５】
また、抗ウイルス剤の粒径のピークは複数存在していることが好ましい。具体的には、抗ウイルス剤の粒径のピークは、１μｍ以上５μｍ以下の範囲である第１ピークと、５μｍ以上１０μｍ以下の範囲である第２ピークとを含んでいることが好ましい。ここで、抗ウイルス剤の粒径の第２ピークは、第１ピークより大きい値とする。抗ウイルス剤の粒径のピークは複数存在していることにより、抗ウイルス剤の充填密度がより向上し、抗ウイルス剤をより多く添加することができる。このため、抗ウイルス剤との接触面積が拡大し、抗ウイルス自体の表面積も拡大することにより、抗ウイルス性が向上する。
【００３６】
透明シート又は透明樹脂剤として、熱可塑性樹脂を用いることができる。熱可塑性樹脂としては、特に制限はなく、例えば、ポリエチレン、ポリプロピレン、ポリメチルペンテン、ポリブテン、エチレン−プロピレン共重合体、エチレン−α−オレフィン共重合体、プロピレン−α−オレフィン共重合体等のポリオレフィン樹脂や、エチレン−酢酸ビニル共重合体、エチレン−ビニルアルコール共重合体、エチレン−（メタ）アクリル酸（エステル）共重合体、エチレン−不飽和カルボン酸共重合体金属中和物（アイオノマー）等のオレフィン系共重合体樹脂等のポリオレフィン系樹脂や、ポリエチレンテレフタレート、ポリブチレンテレフタレート、ポリテトラメチレンテレフタレート、ポリエチレンナフタレート、ポリエチレンテレフタレート−イソフタレート共重合体、１，４−シクロヘキサンジメタノール共重合ポリエチレンテレフタレート、ポリアリレート、ポリカーボネート等のポリエステル系樹脂、ポリ（メタ）アクリロニトリル、ポリメチル（メタ）アクリレート、ポリエチル（メタ）アクリレート、ポリブチル（メタ）アクリレート、ポリアクリルアミド等のアクリル系樹脂、６−ナイロン、６，６−ナイロン、６，１０−ナイロン等のポリアミド系樹脂、ポリスチレン、ＡＳ樹脂、ＡＢＳ樹脂等のスチレン系樹脂、ポリ塩化ビニル、ポリ酢酸ビニル、ポリビニルアルコール、ポリビニルアセタール、ポリビニルブチラール等のビニル系樹脂、ポリフッ化ビニル、ポリフッ化ビニリデン、ポリテトラフロロエチレン、エチレン−テトラフロロエチレン共重合体、エチレン−パーフロロアルキルビニルエーテル共重合体等のフッ素系樹脂等或いはそれらの２種以上の混合物、共重合体、複合体、積層体等を使用できる。
【００３７】
「組立て」
３枚のパネル板１と４本の支柱５と一本の横桟２０を用いた衝立型間仕切りに組み立てる場合を例示する。
３枚のパネル板１は、図１、図７に示すように、幅方向の長さが大きい正面板１ａと、左右２枚の側面板１ｂとからなる。正面板の幅は、例えば１２００ｍｍとする。
例えば、次の手順にて組み立てる。
【００３８】
＜側面板組み付け＞
先ず、図８、図９のように、各側面板１ｂの一方に面側（互いに逆側でも良い）における、左右両側にそれぞれ支柱５をネジ止めする。
【００３９】
＜正面板組み付け＞
次に、図１０、図１１のように、正面板１ａの上端に沿って並ぶ穴２ｂを介して、横桟２０に形成された第２案内溝２１に設けた第２ナット部材２２にネジを螺合して、正面板１ａの上部に対し横桟２０を取りつける。
また、各側面板１ｂに取り付けた各一端側の支柱５における、側面を取り付けた面と直交する面に形成された案内溝６に設けたナット部材７を用いて、正面板１ａの左右両側を、穴を介してネジを螺合して連結する。
これによって、図７のような、平面視コ字形状の衝立型間仕切りに組み付けられる。
【００４０】
このとき、図１２のように、各案内溝６に設けたナット部材７の位置を適宜、支柱５の軸方向にスライドすることで、各パネル板１の組み付け高さ位置を自由に設定可能となる。
横桟２０と支柱とは連結されていない（縁切りされている）ので、パネル板１ａに横桟２０を設けても、各パネルの高さ調整を個別に実行することができる。図７では、横桟２０の長手方向端面を支柱の側面に接触している場合を例示しているが、横桟２０の長さを若干短くして、横桟２０の長手方向端面を支柱の側面から離すように構成しても良い。
横桟２０の左右方向の位置（軸方向の位置）は、ネジを緩めることで簡易調整できる。このため、左右の支柱５間に横桟２０をぴったりと配置させる場合でも、横桟２０の左右方向位置の微調整が簡易となる。
【００４１】
また、パネル板１を組み付けた後であっても、パネル板１の高さ位置を変更したい場合には、対応するネジ１２を緩めて、パネル板１の位置を調整した後に再度ネジ１２を締めるという簡単な操作で、パネル板１の高さ位置を調整可能となる。
なお、１つの衝立型間仕切りを構成する各パネル板１の高さを、同じ高さとする必要はないし、高さも異なっていても良い。例えば、側面板１ｂよりも正面板１ａを高めに高さ設定しても良い。
横桟２０は、幅が１０００ｍｍ以上、好ましくは１２００ｍｍ以上のパネル板にだけ取り付ければよいが、幅が１０００ｍｍ未満のパネル板に取り付けても構わない。
【００４２】
（組立ての変形例）
組み立てた衝立型間仕切りのパターンの例を図１３以降に示す。
図１３の例では
３枚のパネル板１をＨの字状に組み付けるパターン例である。この例では、中央のパネル板１に横桟２０を配置した場合を例示した。
図１４は、１つの支柱５に４つのパネル板１を取り付けて十の字状としたパターン例である。この例では、全てのパネル板１に横桟２０を配置した場合を例示した。
図１５は、仕切りで区切られた空間が左右方向に複数連続して並ぶように、組み立てたパターンである。この例では、２種類の衝立型間仕切りの組立てパターンを、順番に組み合わせて配置することで、仕切りで区切られた空間が左右方向に複数並ぶように構成している。この例では、正面板となるパネル板１に横桟２０を配置した場合を例示した。
【００４３】
図１６の例では、図７に示す左右の側面板１ｂと正面板１ａとで、コ字状に形成すると共に、正面板１ａの下端部に横桟２０を設けた例である。
図１７の例は、左右の側面板１ｂと正面板１ａとで、コ字状に形成すると共に、横桟２０に対し、第２の正面板を連結した例である。図１７の例では、横桟２０の前方に向く第２案内溝２１に設けた第２ナット部材２２に対し、下側の正面板１ａの上端部に設けたネジ止め用の穴２ｂと、上側のパネル板１ｃの下端部に設けたネジ止め用の穴とを同軸に配置して同じネジによってネジとした例である。
【００４４】
又は、横桟２０に形成した前方及び後方を向く２つの第２案内溝２１における一方の第２案内溝２１に設けた第２ナット部材２２に対し、下側の正面板の上端部を取り付けると共に、他方の第２案内溝２１に設けた第２ナット部材２２に対し、上側の正面板の下端部を取り付ける、ことで実現しても良い。なお、上側の正面板の下端部にボルト穴を形成しておく。
これによって、正面板の撓りを抑えつつ、正面板の高さを稼ぐことが可能となる。
【００４５】
図１８の例は、図７のように左右の側面板１ｂと正面板１ａとで、コ字状に形成すると共に、上部にパネル板からなる天井板１ｄを配置した例である。
この例では、横桟２０の上面に第２案内溝２１を配置し、その第２案内溝２１に設けた第２ナット部材２２に対し、天井板に開口した穴を介してネジ止めをして、天井板１ｄを横桟２０に取り付ければよい。
図１８の例では、左右の側面板１ｂと正面板１ａの上端を面一としているため、天井板１ｄは左右の側面板１ｂの上端面に載った状態となっているが、これに限定されない。左右の側面板１ｂよりも正面板１ａの上端を高く設定すれば、天井板１ｄは横桟２０にのみ片持ち梁状に支持された状態となる。
この図１８の例の場合には、天井板１ｄを棚として使うことが可能となる。また、天井板１ｄの吸音材をつければ、防音性能をアップさせることも可能である。
【００４６】
また、横桟２０を、左右の支柱５の上端に支持させるように設けることで、耐荷重が向上するため、横桟２０若しくは横桟２０を設けたパネル板に対し、図１９のように、モニターや扇風機などの重量物を掛けることも可能となる。もっとも、横桟２０を、左右の支柱５に直接支持させなくても良いし、必ずしも横桟２０を支柱５に接触させなくても良い。
【００４７】
ここで、本実施形態では、横桟２０の構造と支柱の構造とを同一構造とする場合を例示したがこれに限定されない。
例えば、横桟２０に対し第２案内溝２１を形成せずに、横桟２０の固定位置に第２ナット部材２２を埋め込んだ棒材を横桟２０としても良い。また、単純にネジ穴が開口した棒材を横桟２０とし、別途ボルトとナットによって横桟２０をパネル板に取り付けても良い。ただし、上述のように第２ナット部材２２の位置が可動する方が横桟２０の左右方向の微調整が可能となり好ましい。
【００４８】
また、横桟２０の下側を向く第２案内溝２１から第２ナット部材２２を取り除いて、その下側を向く第２案内溝２１を、パネル板の上方からパネル板上端部に嵌め込むことで、第２案内溝２１をパネル板の上端部に取り付けても良い。この場合には、第２案内溝２１の幅を、パネル板の厚さ若しくはその近傍に設定することが好ましい。
また、上記の説明では、一の支柱５に設けた隣り合う案内溝６の角度が９０度の場合を例示しているが、これに限定されない。例えば、断面円形の支柱５に対し、周方向に沿って１２０度間隔で３条の案内溝６を設けて、支柱５に支持されて隣り合うパネル板間の角度を、１２０度とするようにしても良い。
【００４９】
（作用その他）
本実施形態では、ナット部材７を支柱５に沿ってスライドさせることで、高い自由度で且つ簡易に、パネル板１の高さを調整可能となる。
これによって、パネル板１の下側の隙間を、通過させるケーブルや、電話や厚みがある書類などに応じて調整して設置可能となる。
また、パネル板１と支柱５は一体化しているので、組立て後は持ち運びが可能である。
また、パネル板１同士は結合せず独立しているので、１面ずつ取り換えが可能である。
また、パネル板１の透過率が高いので視認性が確保できる。
【００５０】
なお、必要に応じて支柱５を横桟２０としてパネル板１に取り付けても良い。この場合、横桟２０用の穴を左右に向けて複数空けておけば対応可能である。
また、少なくとも幅が長いパネル板１に横桟２０を設けることで、パネル板の剛性が高くなり、パネル板１の幅が長くてもパネル板が板厚方向に撓って形状変化することを防止できる。
更に、横桟２０を設けることで、その横桟２０や、横桟２０を設けたパネル板に対し重量物を掛けることが可能となる。
また、横桟２０を設けても、各パネル板の高さ調整を個々に実行可能となる。
【００５１】
ここで、図７に示す配置構成で、表１のように正面板１ａのパネル幅を変更して、横桟２０の有無による正面板１ａの撓みを測定してみた。その結果を表１に示す。なお、各パネル板の板厚を３ｍｍとし、パネル板の材質をＰＥＴＧとした。正面板の高さは４５０ｍｍであり、側面板の幅は４５０ｍｍとした。
【表１】
0006923058.tif 000002
【００５２】
表１から分かるように、横桟２０を設けることで、正面板の撓みが有効に防止できることが分かる。
更に、正面板１ａのパネル幅と、パネル板の厚みを変更して、横桟２０がない場合における、正面板の撓みを求めてみた。その他の測定条件は表１と同様とした。
【００５３】
【表２】
0006923058.tif 000003
【００５４】
表２から分かるように、パネル板の板厚を厚くすることで撓みを抑制できる。ただし、パネル重量が増大して支柱５への負担が大きくなる。
また、支柱５の各面の全てにパネル板１が取付け可能なので多様の組合せができる。例えば、パネル板１と支柱５の組合せで連続性が付与できる。また、長さ方向に調整が可能となるので長机やオフィスの机の並びにも対応可能となる。
【符号の説明】
【００５５】
１ パネル板
１ａ 正面板
１ｂ 側面板
１ｃ パネル板
１ｄ 天井板
２、２ａ、２ｂ   ネジ取付け用の穴
５ 支柱
６ 案内溝
７ ナット部材
８ 樹脂キャップ
１２ ネジ
２０ 横桟
２１    第２案内溝
２２  第２ナット部材
２３ 樹脂キャップ
【要約】      （修正有）【課題】簡易に組み立てられると共に、パネル板の高さ調整についての、自由度も操作も簡易な衝立型間仕切りを提供する。【解決手段】衝立型間仕切りは、パネル板１と、そのパネル板１を支持する支柱５と、を有する衝立型間仕切りであって、パネル板１の板厚方向に開口した１又は２以上のネジ止め用の穴２と、支柱５に形成され、支柱５の軸方向に延びる１又は２以上の案内溝と、案内溝に設けられ、案内溝に案内されて軸方向に移動可能な１又は２以上のナット部材と、ネジ止め用の穴２を介してナット部材に螺合するネジ１２と、を備える。また、パネル板１の一部に、横方向に延在する横桟が設けられている。横桟は支柱５と同じ構造である。【選択図】図７【図１】
0006923058.tif 000004
【図２】
0006923058.tif 000005
【図３】
0006923058.tif 000006
【図４】
0006923058.tif 000007
【図５】
0006923058.tif 000008
【図６】
0006923058.tif 000009
【図７】
0006923058.tif 000010
【図８】
0006923058.tif 000011
【図９】
0006923058.tif 000012
【図１０】
0006923058.tif 000013
【図１１】
0006923058.tif 000014
【図１２】
0006923058.tif 000015
【図１３】
0006923058.tif 000016
【図１４】
0006923058.tif 000017
【図１５】
0006923058.tif 000018
【図１６】
0006923058.tif 000019
【図１７】
0006923058.tif 000020
【図１８】
0006923058.tif 000021
【図１９】
0006923058.tif 000022